(57)【特許請求の範囲】
【請求項１】
シャーシと、
誘電体部分、及び前記シャーシに電気的に結合されている接地部分を有する印刷回路基板と、
少なくとも一方端及び他方端を有する第１部分と、第２部分と、第３部分とを有するＦ形状アンテナと
を有し、ユーザ入力要素からの無線信号を受信する電子装置であって、
前記第１部分は、前記印刷回路基板の接地部分上にある前記一方端から前記印刷回路基板上にある前記他方端にかけて沿って延在し、
前記第２部分は、前記一方端と前記印刷回路基板の前記接地部分とを電気的に結合し、
前記第３部分は、前記一方端及び他方端の間で前記第１部分に結合されかつ前記印刷回路基板の前記接地部分と前記誘電体部分との間に延在し、第１のリアクタンス素子を介して信号プロセッサに電気的に結合されたケーブルに結合され、該ケーブルは第２のリアクタンス素子を介して前記接地部分にも結合され、前記第１及び第２のリアクタンス素子は前記Ｆ状アンテナの前記第３部分と前記印刷回路基板の前記接地部分との間に直列に結合され、
前記シャーシ、前記印刷回路基板及び前記Ｆ形状アンテナは、当該電子装置の前面パネルの一部として一体化されている、電子装置。
【請求項２】
前記シャーシ、前記印刷回路基板及び前記Ｆ形状アンテナを収容するハウジングを更に有する請求項１に記載の電子装置。
【発明の詳細な説明】
【技術分野】
【０００１】
本発明は、概して、アンテナ構成、より具体的に、電子装置の前面パネルアセンブリ内での使用に特に適するアンテナ構成に関する。
【背景技術】
【０００２】
例えばテレビ受像機やセットトップボックス等の電子装置は、しばしば、携帯型の遠隔制御装置等の遠隔信号源からの信号の受信を可能にする或る形式のアンテナを有する。見て美しい様式でかかる装置にアンテナを設けるよう、しばしば、装置の前面パネルアセンブリ（ＦＰＡ（Front  Panel  Assembly））の部分としてアンテナを一体化することが望ましい。
【０００３】
空間制約に起因して、装置のＦＰＡの部分としてアンテナを一体化しようとする従来の設計は、しばしば、印刷回路基板に含まれる印刷トレースとしてアンテナを実装する。このような設計により、アンテナは、例えば、印刷モノポールとして又はループアンテナとして構成されてよい。しかし、このような従来の設計は、印刷トレースアンテナが装置シャーシの極近くに配置されることがあるために、特定の用途に適さない。具体的に、印刷トレースアンテナに対するシャーシ等の反射面の近接は、その動作範囲を格段に縮めることによってアンテナ能力を著しく低下させうる。印刷トレースアンテナとシャーシとの間の距離における小さな変化でさえ、アンテナ性能に影響を及ぼしうる。
【０００４】
小規模の薄型アンテナの他のシャーシはＬ形状アンテナ及びＦ形状アンテナを有する。Ｌ形状アンテナ及びＦ形状アンテナの例は、夫々、図１及び図２に示されている。図１及び図２に示されているように、Ｌ形状アンテナ及びＦ形状アンテナはいずれも、水平部分１０と、信号受信のための駆動点に相当する端部１４を具える１又はそれ以上の垂直部分１２とを有する。Ｌ形状アンテナ及びＦ形状アンテナはいずれも、一般的に、本質的に低インピーダンスを有するが、図１及び図２に示されるアンテナは必ずしも電子装置のＦＰＡ内での使用に適するわけではない。例えば、電子装置のＦＰＡ環境は、しばしば、アンテナ性能に悪影響を与えうる信号トレースおよび接地ポリゴンを有する。
【発明の概要】
【発明が解決しようとする課題】
【０００５】
然るに、前述の問題を解決し、特に電子装置のＦＰＡ内での使用に適する電子装置のためのアンテナ構成が必要である。本願発明はこれらの及び／又は他の課題に取り組む。
【課題を解決するための手段】
【０００６】
本発明の態様に従って、電子装置が開示される。例となる実施形態に従って、電子装置は、シャーシと、例えば接地部分及び誘電体部分を有する印刷回路基板のような手段とを有する。印刷回路基板の接地部分は、シャーシに電気的に結合されている。電子装置は、第１部分、第２部分及び第３部分を有するＦ形状アンテナのような手段を更に有する。Ｆ形状アンテナの第１部分は、印刷回路基板の誘電体部分に沿って延在する。Ｆ形状アンテナの第２部分は、印刷回路基板の接地部分に電気的に結合されている。Ｆ形状アンテナの第３部分は、印刷回路基板の接地部分と誘電体部分との間に延在し、リアクタンス素子を介して信号プロセッサに電気的に結合されている。
【０００７】
本発明の他の態様に従って、電子装置を設ける方法が開示される。例となる実施形態に従って、当該方法は、シャーシを設けるステップと、誘電体部分、及びシャーシに電気的に結合されている接地部分を有する印刷回路基板を設けるステップと、第１部分、第２部分及び第３部分を有するＦ形状アンテナを設けるステップとを有し、第１部分は印刷回路基板の誘電体部分に沿って延在し、第２部分は印刷回路基板の接地部分に電気的に結合され、第３部分は印刷回路基板の接地部分と誘電体部分との間に延在し、リアクタンス素子を介して信号プロセッサへ電気的に結合されている。
【図面の簡単な説明】
【０００８】
【図１】従来のＬ形状アンテナを示す図である。
【図２】従来のＦ形状アンテナを示す図である。
【図３】本発明の例となる実施形態に従う電子装置の関連部分を示す図である。
【図４】従来の外部ホイップアンテナについての放射パターンを示す図である。
【図５】本発明の例となる実施形態に従うアンテナ構成についての放射パターンを示す図である。
【発明を実施するための形態】
【０００９】
添付の図面に関連して考えられる本発明の実施形態についての以下の記載を参照することにより、本発明の前述の及び他の特徴及び利点、並びにそれらを実現する方法が明らかになるとともに、本発明がより良く理解されるであろう。
【００１０】
ここに挙げられている例示は、本発明の好ましい実施形態を表し、かかる例示は、如何なる方法によっても、本発明の適用範囲を限定するよう解されるべきではない。
【００１１】
ここで、図面、より具体的に、図３を参照すると、本発明の例となる実施形態に従う電子装置１００の関連部分を示す図が与えられている。具体的に、図３に示される電子装置１００の部分は、電子装置１００のＦＰＡの部分として含まれうるアンテナ構成に相当する。図３に示されるように、電子装置１００は、ハウジング２０と、第１部分２２、第２部分２４及び第３部分２６を有するＦ形状アンテナと、接地部分２８及び誘電体部分３０を有する印刷回路基板と、電気結合器３２と、シャーシ３４と、ケーブル結合器３６と、リアクタンス素子ｊＸ１及びｊＸ２とを有する。
【００１２】
図３に示されるように、アンテナ構成の種々の要素は、電子装置１００のハウジング２０の中に収容されており、従って、ユーザが容易に見ることができない。このようにして、図３のアンテナ構成は、見て美しい様式で電子装置１００のＦＰＡの部分として電子装置１００に一体化されてよい。例となる実施形態に従って、電子装置１００は、衛星セットトップボックスとして具現される。なお、当業者とって直感的に、図３のアンテナ構成は他のタイプの電子装置にも使用されてよい。
【００１３】
図３で、Ｆ形状アンテナの第１部分２２は、その第１部分２２が印刷回路基板の誘電体部分３０と略平行であるように、誘電体部分３０に沿って延在している。Ｆ形状アンテナの第１部分２２と印刷回路基板の誘電体部分３０との間の物理的な間隔は、特定の用途に基づく設計選択事項として選択されてよい。
【００１４】
Ｆ形状アンテナの第２部分２４は、印刷回路基板の接地部分２８に電気的に結合されている。このようにして、印刷回路基板の接地部分２８は、Ｆ形状アンテナのための基準点として機能を果たす。印刷回路基板の接地部分２８は、電気結合器３２を介してシャーシ３４にも結合されている。例となる実施形態に従って、電気結合器３２は、シャーシ３４の接地面に対して固有リアクタンスを有するフラットな及び／又は同軸のケーブル等の電気結合要素として実装されてよい。印刷回路基板の接地部分２８と（接地面を形成する）シャーシ３４との間の電気接続のために、印刷回路基板の接地部分２８は、実際にはアンテナとして動作し、更に、Ｆ形状アンテナの信号受信性能を改善する。
【００１５】
Ｆ形状アンテナの第３部分２６は、印刷回路基板の接地部分２８と誘電体部分３０との間に延在し、図３に示されるようにリアクタンス素子ｊＸ１及びｊＸ２並びにケーブル結合器３６を介して電子装置１００の信号プロセッサに電気的に結合されている。リアクタンス素子ｊＸ１及びｊＸ２のタイプ及び値は、特定の用途に基づく設計選択事項として選択されてよい。一般に、リアクタンス素子ｊＸ１及びｊＸ２は、容量性及び／又は誘導性の要素として実装されてよく、その値は、Ｆ形状アンテナの固有インピーダンスに依存しうる。言い換えると、その値は、特定の用途に関連する複数の要因に依存しうる。図３のアンテナ構成により、かかる要因には、Ｆ形状アンテナとシャーシ３４の接地面との間の近接、Ｆ形状アンテナ周囲の領域におけるシャーシ３４の接地面の物理構成、Ｆ形状アンテナ周囲の領域で印刷回路基板から生成される電気トレースの量、及び印刷回路基板に使用される材料がある。一実施例に従って、リアクタンス素子ｊＸ１は、３３ｐＦの値を有するキャパシタとして実装され、リアクタンス素子ｊＸ２は、１２ｐＦの値を有するキャパシタとして実装される。他の実施例に従って、リアクタンス素子ｊＸ１は、１００ｐＦの値を有するキャパシタとして実装され、リアクタンス素子ｊＸ２は、２２ｐＦの値を有するキャパシタとして実装される。当然、他のタイプのリアクタンス素子及び／又は値も設計選択に従って使用されてよい。
【００１６】
動作において、図３のアンテナ構成は、例えばユーザ入力要素（例えば、携帯型の遠隔制御装置等）から発せられる信号等の無線信号（例えば、赤外線信号、無線周波数信号等）を受信するために使用されてよい。図３のアンテナ構成は、特にこの点において有用であり、全指向性信号受信を提供可能である。図３のアンテナ構成の信号受信性能は、図４及び図５により、より良く評価され得る。具体的に、図４は、従来の外部ホイップアンテナ（すなわち、装置の後ろに接続されているアンテナ）についての放射パターンを示す図４０を与え、図５は、本発明の例となる実施形態に従うアンテナ構成についての放射パターンを示す図５０を与える。図４と図５との間の比較によって示されるように、本発明のアンテナ構成は、従来の外部ホイップアンテナのアンテナ構成よりも優れた全指向性信号受信能力を提供する。
【００１７】
ここに記載されるように、本発明は、電子装置の前面パネルアセンブリ内での使用に特に適するアンテナ構成を提供する。本発明は好ましい設計を有するよう記載されてきたが、本発明は、本開示の精神及び適用範囲の中で更に変形されてよい。従って、本願は、発明の一般原理を用いるあらゆる変形例、使用、又は適応をカバーするよう意図されている。更に、本願は、本発明に関連し且つ添付の特許請求の範囲の技術的範囲内にある当該技術における既知の又は通例の実施の範囲内にあるように、本開示からのこのような逸脱をカバーするよう意図されている。
【図１】
0005479348.tif 000002
【図２】
0005479348.tif 000003
【図３】
0005479348.tif 000004
【図４】
0005479348.tif 000005
【図５】
0005479348.tif 000006